(57)【特許請求の範囲】
【請求項１】
平行な段の列をなすように配置された座席支持台によって構成される複数の段から構成されるタイプの多目的ホールまたはスポーツ・スタジアム用多段式観客着席装置であって、
段の高さが調整可能になっており、該装置に２つ以上の断面勾配を示させることができ、
最上段から最下段に向かって高さが低くなり、交互に対応する段を支持する位置に配置され、対応する段に一体化されると共に作用位置において床に支持されて、段列に第１の断面勾配をもたらす第１の支柱と、
前記対応する段から独立していて、高さが同じ段の第１の支柱よりも短くなっている第２の支柱と、
低い非作用位置から高い作用位置である前記第２の各支柱のヘッドが対応する段の支持位置へ前記第２の支柱を持ち上げ、一方、その結果、非作用位置に配置される第１の支柱のベースは床に支持されなくなり、前記作用位置についた第２の支柱によって、段の第２のより穏やかな断面勾配が決まる位置に向かって第２の支柱の高さを上昇させるようになっている伝動モータからなる昇降手段とを備え、
前記第１と第２の支柱は、互いに、スライド可能に取り付けられていると共に、内側支柱を形成する第１の支柱の断面寸法が、外側支柱を形成する第２の支柱の断面寸法より小さく形成され、
同じ段列に属する全ての第２の支柱は互いにクロスピースにより接続されると共に、互いに隣接する段列に属する前記第２の支柱は互いに接合部材により接合固定され、前記第２の支柱が、結果として、段列の第１の断面勾配から第２の断面勾配への変化を決めることになるように、前記昇降手段によって単一ユニットとして同時に持ち上げるのに適した、剛性アセンブリを構成していることを特徴とする多段式観客着席装置。
【請求項２】
前記第２の支柱が、そのヘッドに、対応する段を上昇させて、特定の要求の関数として調整される該段の第３の断面勾配が得られるようにするための個別可調整リフト手段を備えていることを特徴とする請求項１に記載の装置。
【請求項３】
前記第２の支柱は、平坦な矩形断面を持つパイプの形状をなし、上方ビームによって接続されることにより前記第２の支柱アセンブリが形成され、
前記第２の支柱の長さ方向寸法は、前記第１の支柱の張り出し部分に取り付けられた段の幅寸法よりも大きく形成され、同じアセンブリに属する２つの第２の支柱を離隔するギャップが、最上段から最下段に向かって小さく形成されることにより前記第２の支柱アセンブリの入れ子式係合が可能に形成され、
下方段の支柱アセンブリが、最上段の第２の支柱アセンブリ内に収納されるように、床の上をスライドして段が収縮及び／または伸張できるように形成され、
前記第１の支柱及び第２の支柱には、その水平変位を可能にするためのホイールを有する転動手段が装備され、
一方の段に属する第２の支柱が、隣接する段の第２の支柱に沿って往復スライドし、全ての段の前記入れ子式変位が可能になるようにするガイド手段を備え、さらに、該装置に、前記支柱の水平変位のための駆動手段が含まれていることを特徴とする請求項１に記載の装置。
【発明の詳細な説明】
【０００１】
【発明の属する技術分野】
本発明は、文化またはスポーツ分野の特定の要求に迅速に適応するため、多目的ホールまたはスポーツ・スタジアムの構成を変更するための装置に関するものである。
【０００２】
【従来の技術】
問題となるホールの視感度曲線の変更及び座席数の変更を含む構成の変更は、常套的には、一般に１つの勾配だけしか備えていない補助可動段装置を追加するか、取り除くことによって、あるいは、ピットの形成を必要とし、自明のこととして列をなすようにセグメント化されたその表面が、アイス・リンクまたはバスケット・ボールのフロアといったある種のスポーツのフロアには適合しない、昇降フロア・システムによって可能となる。
【０００３】
先行技術の多目的ホールについては、下記の特許または特許出願によって例示することができる：出願人の名義による国際特許出願ＷＯ９４ ２５７０６Ａ、ＥＰ ０６４９ ９５２Ａ、ＪＰ６３ １７１５６１Ａ、及び、ＦＲ２ ６０５ ０３７。
【０００４】
【発明が解決しようとする課題】
上記引用された先行技術に属する装置の場合、一時的使用のための補助段列の保管及び取扱いの苦役、または、テクニカル・ピットを形成する必要が、多額の投資及び運転費用に形を変えるため、ある活動に合わせて設計された既存のホールを、その商業的運営の改善に格好の他の形態のショーに適応するように構成する妨げになる。本発明の目的は、これらの欠点を克服することにある。
【０００５】
【課題を解決するための手段】
上記課題解決のため請求項１記載の発明にあっては、平行な段の列をなすように配置された座席支持台によって構成される複数の段から構成されるタイプの多目的ホールまたはスポーツ・スタジアム用多段式観客着席装置であって、段の高さが調整可能になっており、該装置に２つ以上の断面勾配を示させることができ、最上段から最下段に向かって高さが低くなり、交互に対応する段を支持する位置に配置され、対応する段に一体化されると共に作用位置において床に支持されて、段列に第１の断面勾配をもたらす第１の支柱と、前記対応する段から独立していて、高さが同じ段の第１の支柱よりも短くなっている第２の支柱と、低い非作用位置から高い作用位置である前記第２の各支柱のヘッドが対応する段の支持位置へ前記第２の支柱を持ち上げ、一方、その結果、非作用位置に配置される第１の支柱のベースは床に支持されなくなり、前記作用位置についた第２の支柱によって、段の第２のより穏やかな断面勾配が決まる位置に向かって第２の支柱の高さを上昇させるようになっている連伝動モータからなる昇降手段とを備え、前記第１と第２の支柱は、互いに、スライド可能に取り付けられていると共に、内側支柱を形成する第１の支柱の断面寸法が、外側支柱を形成する第２の支柱の断面寸法より小さく形成され、同じ段列に属する全ての第２の支柱は互いにクロスピースにより接続されると共に、互いに隣接する段列に属する前記第２の支柱は互いに接合部材により接合固定され、前記第２の支柱が、結果として、段列の第１の断面勾配から第２の断面勾配への変化を決めることになるように、前記昇降手段によって単一ユニットとして同時に持ち上げるのに適した、剛性アセンブリを構成していることを特徴とする。
【０００６】
同じ列の全ての段について、第１の長い支柱が、支持作用位置につくと、そのベースは、床に支持され、そのヘッドは、対応する段を支持し、各段は、対応する第１の支柱と一体化される。段がこの第１の位置、従って、第１の長い支柱に支持される位置にある時、第２の短い支柱は、非作用下方位置につき、段の断面勾配が、最も急になる。
【０００７】
代替案として、昇降手段をさせると、同じ列の全ての段に属する全ての第２の（短い）支柱が、その下方の非作用位置から、前記第２の支柱のヘッドが対応する段と接触し、全ての段を順次持ち上げることになる位置まで持ち上げられ、第２の支柱の働きで支持され、持ち上げられている、同じ段列の前記段は、断面勾配がより穏やかな第２の位置につく。
【０００８】
特定の実施例によれば、各段毎に代替支持体を構成する、長さの異なる第１と第２の支柱は、互いに入れ子式にスライドすることが可能であり、内側の支柱が、第１の長い支柱を構成し、外側の支柱が、第２の短い支柱を構成している。同じ列に属する段に接続された全ての第１の長い支柱は、上方段から最下段に向かって小さくなり、それらが支持している段に、例えば、アイス・リンクまわりの構造の視感度曲線に適合する、第１の勾配をもたらすように規定された寸法を備えている。
【０００９】
全ての第２の短い支柱は、同様に、それらが支持しようとする段に、前記勾配とは異なる第２の勾配をもたらすように規定された寸法を備えている、すなわち、この第２の断面勾配は、第１の勾配より穏やかである。この第２の勾配は、例えば、バスケット・フロアまわりの構造の視感度曲線に適合する勾配である。全ての第２の短い支柱は、昇降手段によって単一ユニットとして垂直または水平に変位させることが可能な剛性構造を形成するように、互いに有効に接続することが可能である。第２の支柱を互いに接続するようになっている接続手段は、永久的なものとし、固定位置につけることもできるし、例えば、同じ列をなす段及び支柱が、互いに、水平方向に伸縮自在である場合には、取り除き可能な構造にすることも可能である。
【００１０】
その平面及び容積における寸法が、それらが支持する全ての段が占めている面積及び容積と比較して小さい、全ての第１と第２の支柱は、例えば、自由な状態に放置された表面及び容積を収容機能のために活用できるようにするため、前記支柱間及び支持される段の下に自由空間が残されるように有効な構成を施すことが可能である。
【００１１】
段の勾配を変更するのに必要な垂直変位は、とりわけ、例えば、付属装置または補助可動段の収容機能を容易にするため、段の下に通路が形成されるように有効に活用することが可能である。この同じ垂直変位は、例えば、氷上スポーツのような所定のスポーツに必要な所定の安全バリヤの位置決めを起動または停止するために利用することも可能である。
【００１２】
ある変種に基づく第２の支柱は、隣接する下段に属する第２の支柱の上方に位置する、上段に属する第２の支柱の１つからオーバラップする接合部の形態をなし、下段の第２の支柱が、昇降手段の働きによって上昇すると、隣接する上段に属する第２の支柱を支持して、持ち上げるようにしむけるようになっている、オーバラップ手段を備えることが可能である。所定の段に属する１組の第２の支柱に上昇移動が生じる毎に、上段に属する隣接する１組の第２の支柱の上昇が誘発される。
【００１３】
前記第１と第２の支柱は、まっすぐな段または湾曲した段を支持することが可能である。
【００１４】
【発明の実施の形態】
添付の図面を参照しながら以下の説明を読めば、本発明は容易に理解されるであろう。図１〜図８は、同一棚段列の階段状の棚段に属する第２支柱をクロスピースまたはビーム等で固定連結すると共に、互いに隣接する第２支柱を接合部材２６により接合した第１実施例を示しているのに対して、図９以下は、第２支柱が個々の棚段で独立した変更例を示しており、従って連続した階段状棚段及びそれを支持する第１及び第２支柱は、ほぼ同一の後平面上の後退保管位置から作動伸張位置へ移動可能で、同一棚段列の棚段及び支柱が水平方向にはめ合い式システムを形成している。
【００１５】
図１〜図８を参照しながら説明すると、本発明による装置は、少なくとも１つの棚段１を備えており、それの支持部は２種類の支柱、すなわち１対の長い第１支柱２と１対の短い第２支柱３とで構成されて、長い第１支柱２の場合には直接的に、短い第２支柱の場合には公知の昇降手段５を介して棚段１の位置を床４に対して調節して支持できるようになっている。
【００１６】
短い第２支柱を棚板１の長さ方向に沿ってクロスピース７で互いに連結すると共に、棚板１の幅方向に沿って互いに隣接する第２支柱同士を接合部材２６により接合することによって、公知の連鎖伝動モータ９によって移動させる公知の昇降手段５によって上昇させることができる剛直アセンブリ８を構成することができる。図７及び図９の実施例では、棚段１の形状が矩形か、台形である。図８及び図１１の実施例では、棚段１の平面図形が曲線的である。
【００１７】
第１及び第２支柱は、互いに摺動可能に取り付けられ、図７の平面図に示されているように、長い第１支柱が内側支柱２を形成しており、外側支柱を形成している短い第２支柱３より断面寸法が小さい。任意であるが、短い第２支柱３のヘッドに個別の追加昇降手段、例えばジャッキ（図示せず）を設けて、特定の用途に適したさらなる傾斜輪郭を得ることができるように、該ジャッキによって第２支柱で支持された棚段の高さをさらに個別調節できるようにしてもよい。
【００１８】
同一棚段において、第２支柱が不作動位置にある時の短い第２支柱３の支持ヘッドと長い第１支柱２のヘッドとの間の高さの違いは、最下段の棚段から順に上のものほど（すなわち図５の左から右に）増加することに注目されたい。この違いは、第１及び第２支柱を連続的に作動させた時の第１支柱によって決定される傾斜輪郭と第２支柱によって決定されるものとの違いによるものである。
【００１９】
昇降手段を作動させた時、最下段の棚段の各第２支柱３のヘッドが最初にその棚段と接触する。従って、その棚段だけの重量が昇降手段の持ち上げ作用力に加えられる。直後に、隣接棚段の第２支柱が順に接触して、その隣接棚段のための支持位置に達する。そのため、昇降手段によって支持される重量が増加するが、段階的であり、棚段全部を同時に持ち上げる場合に必要になる大きな力を必要としない。
【００２０】
さらに、最上段の棚段は大きく上昇移動させられることはないが、最下段の棚段は相当な高さに持ち上げられる（図５及び図６を参照されたい）。この垂直移動によって、持ち上げられた最下段の棚段の下側に通路ができ、床４の上で別の棚段列を水平移動させることができ、先に上昇している棚段１の前に置いて一時的に使用することができる。
【００２１】
図９、図１０、図１１、図１２、図１６及び図２０に示されている変更例によれば、最下段の棚段に作用する押し引き手段（図９の参照番号１０）の作動によって、階段状棚段システムを床の上ではめ合い水平移動させて後退させることができるように、短い第２支柱及び長い第１支柱が構成されている。さらにこの変更例によれば、はめ合い式に水平方向後退可能なシステムは、短い外側の第２支柱１１の形状がＩ字形で、車輪１２及び１３によって水平床上を移動できるようになっていることを特徴としている。同一棚段１を持ち上げるための１対の短い外側の第２支柱１１及び１１ａが、上水平ビーム１４と２つの対角線クロスピース１５及び１６とによって連結されている。該第２支柱は、平坦な矩形断面の管１１の形になっており、該管の長辺の面の寸法が、長い第１支柱１７上に張り出し状に取り付けられた棚段１の幅より大きいため、１つの棚段１とそれに対応した支持支柱１１、１７によって構成された１つのアセンブリが下側に隣接したものの上で十分に張り出すことができる。１つの棚段に属する１つのＩ字形の第２支柱が隣接の棚段の隣接の第２支柱に沿って行う水平方向並進の案内が、該第２支柱の各々の上部及び下部に配置されたガイド手段１８及び１９によって容易になって制御され、互いに向き合った２つの第２支柱の両対向面に前記ガイド手段、例えば一方の面と対向面との間で協働するスライド及びレール等が設けられている。長い第１支柱１７に車輪２０が設けられ、トラクタ２８で駆動されて水平移動できるようになっていることに注意されたい。
【００２２】
変更例（図１９）によれば、第２支柱がＬ字形で、それの下側水平ブランチにスライド及びレール１９を設けて、１つの第２支柱の１つのブランチが隣接の第２支柱のブランチと係合できるようにし、これによって１つの棚段列の同一側の第２支柱全部の相互係合した水平ブランチが連結されて、昇降手段５の作動によって一体ビームとして持ち上げられるようになっている。
【００２３】
非制限的な例であるが、本発明による装置は、特にスポーツスタジアム用で、氷上スポーツ用から床の上の球技用へ配置を変更できるようになっている。固設式かはめ合い式か、直線形状か曲線形状かといった様々な変更を組み合わせることによって、固設位置にある時で、保護柵２２を上げれば、様々な傾斜の棚段の下側を手近な保管場所として使用できるため、そのようなスタジアムまたはホールの変更に掛かる時間を短縮することができる。
【図面の簡単な説明】
【図１】氷上スポーツ用のスタジアム配置の平面図である。
【図２】球技用の配置にした同スタジアムを示している。
【図３】図１の配置から図２のものへ移すために移動または変更すべきスタジアムの部材を点線で、それらの部材の配列を実線で示した平面図である。
【図４】可動部材をすべて取り外して、上記の２配置とは異なった活動に合わせることができる同スタジアムの配置の平面図である。
【図５】最大傾斜に示されている棚段の下側に保管された部材の断面図である。
【図６】展開位置にある同部材の断面図であり、棚段が最小傾斜に示されている。
【図７】一連の長短の摺動支柱と共に、短い支柱を連結して公知の昇降装置を支持する構造を示す平面図であり、ここでは棚段が矩形または台形に示されている。
【図８】図７の構造を示しているが、棚段が曲線形になっている。
【図９】変更例に従った一連のはめ合い式棚段を伸張位置に示す平面図である。
【図１０】図９のはめ合い式棚段を後退位置に示す平面図である。
【図１１】曲線形のはめ合い式棚段を伸張位置に示す平面図である。
【図１２】曲線形のはめ合い式棚段を後退位置に示す平面図である。
【図１３】一連の棚段を最も急な傾斜位置に示す断面図で、棚段は長い第１支柱で支持されている。
【図１４】図１３の同じ棚段を緩い傾斜位置に示す断面図で、対応の昇降手段の作動後に作動上昇位置にある短い第２支柱によって支持されている。
【図１５】第１傾斜輪郭に対応した、伸張して第１支柱に載っているはめ合い式棚段の断面図である。
【図１６】第２傾斜輪郭であって、上昇した作動位置にある第２支柱に載っている図１５の棚段の断面図である。
【図１７】アセンブリを形成して、昇降手段によって持ち上げた時、上側の棚段に属する隣接アセンブリに接触してそれを持ち上げることができる１対の長い第１支柱及び短い第２支柱の平面図である。
【図１８】図１７のアセンブリの後部の立面図である。
【図１９】図１７及び図１８のアセンブリの側面図である。
【図２０】図１５及び図１６の可変傾斜の水平方向に後退可能な棚段列を後退位置に示す断面図である。
【符号の説明】
１ 棚段 ２ 第１支柱
３ 第２支柱 ４ 床
５ 昇降手段 ７ クロスピース
９ 連鎖伝達モータ
１０ 押し引き手段 １１ 管
１２ 車輪 １３ 車輪
１４ 水平ビーム １５ 対角線クロスピース
１６ クロスピース １７ 支柱
１８ ガイド手段 １９ ガイド手段
２０ 車輪 ２２ 保護柵
２６ 接合部材
２８ トラクタ
【図１】
0004018778.tif 000002
【図２】
0004018778.tif 000003
【図３】
0004018778.tif 000004
【図４】
0004018778.tif 000005
【図５】
0004018778.tif 000006
【図６】
0004018778.tif 000007
【図９】
0004018778.tif 000008
【図１０】
0004018778.tif 000009
【図１１】
0004018778.tif 000010
【図１２】
0004018778.tif 000011
【図１３】
0004018778.tif 000012
【図１４】
0004018778.tif 000013
【図１５】
0004018778.tif 000014
【図１６】
0004018778.tif 000015
【図１７】
0004018778.tif 000016
【図１８】
0004018778.tif 000017
【図１９】
0004018778.tif 000018
【図２０】
0004018778.tif 000019
【図７】
0004018778.tif 000020
【図８】
0004018778.tif 000021